【事件の表示】
　特許第２９０５７７３号「弾球遊技機用の基板ケース」の請求項１ないし５に係る特許に対する特許異議の申立てについて、次のとおり決定する。
【結　論】
　訂正を認める。
　特許第２９０５７７３号の請求項１ないし５に係る特許を維持する。
【理　由】
１．手続の経緯
  本件特許第２９０５７７３号の請求項１ないし５に係る発明は、平成１０年４月１４日に特許出願され、平成１１年３月２６日に設定登録された。その後、平成１１年１２月１３日に荒井俊之より、また平成１１年１２月１４日に町田彬より特許異議の申立てがあり、これを受けて平成１２年５月１日付け取消理由通知がなされ、平成１２年７月１４日付け訂正請求がなされた。
２．訂正の内容とその適否について
（１）訂正の内容
イ．特許請求の範囲の訂正
　【特許請求の範囲】の【請求項１】、【請求項２】を以下のとおり訂正する。
「【請求項１】開閉自在に結合された複数個のケース体(17)(18)(19)を備え、遊技動作を制御するＲＯＭ等の電気部品(15)、コネクタ(16)及びプリントパターン(14)を備えた制御基板(7)を、これらケース体(17)(18)(19)により外側から覆うように収納した弾球遊技機用の基板ケースにおいて、各ケース体(17)(18)(19)は制御基板(7)を外部から透視可能な透明な合成樹脂製とし、コネクタ(16)側のケース体(18)に、制御基板(7)に接する段部(28)を設け、この段部(28)に、前記コネクタ(16)に外部のコネクタ(34)を接続できるように、該コネクタ(16)が嵌合する開口部(32)を設け、該開口部(32)の口縁をプリントパターン(14)が露出しないようにコネクタ(16)に近接させて、前記段部(28)によりコネクタ(16)の周辺部分のプリントパターン(14)を覆うように構成し、一端側の係合手段(20)(21)と、他端側の封止手段(22)とにより各ケース体(17)(18)(19)を着脱、開閉自在に結合し、この係合手段(20)(21)及び封止手段(22)を透明な合成樹脂製としたことを特徴とする弾球遊技機用の基板ケース。
【請求項２】制御基板(7)の両側の各ケース体(17)(18)に透明な合成樹脂製の基板固定部(23)(26)を設け、この基板固定部(23)(26)により制御基板(7)を固定したことを特徴とする請求項1に記載の弾球遊技機用の基板ケース。」
ロ．発明の詳細な説明の欄の訂正
（訂正事項１）
段落番号【０００９】を、以下のとおり訂正する。
「【０００９】
【課題を解決するための手段】
　本発明は、開閉自在に結合された複数個のケース体17,18,19を備え、遊技動作を制御するＲＯＭ等の電気部品15、コネクタ16及びプリントパターン14を備えた制御基板7を、これらケース体17,18,19により外側から覆うように収納した弾球遊技機用の基板ケースにおいて、各ケース体17,18,19は制御基板7を外部から透視可能な透明な合成樹脂製とし、コネクタ1側のケース体18に、制御基板7に接する段部28を設け、この段部28に、前記コネクタ16に外部のコネクタ34を接続できるように、該コネクタ16が嵌合する開口部32を設け、該開口部32の口縁をプリントパターン14が露出しないようにコネクタ16に近接させて、前記段部28によりコネクタ16の周辺部分のプリントパターン14を覆うように構成し、一端側の係合段20,21と、他端側の封止手段22とにより各ケース体17,18,19を着脱、開閉自在に結合し、この係合手段20,21及び封止手段22を透明な合成樹脂製としている。」
（訂正事項２）
段落番号【００７０】を、以下のとおり訂正する。
「【００７０】
【発明の効果】
　本発明によれば、開閉自在に結合された複数個のケース体17,18,19を備え、遊技動作を制御するＲＯＭ等の電気部品15、コネクタ16及びプリントパターン14を備えた制御基板7を、これらケース体17,18,19により外側から覆うように収納した弾球遊技機用の基板ケースにおいて、各ケース体17,18,19は制御基板7を外部から透視可能な透明な合成樹脂製とし、コネクタ的側のケース体18に、制御基板7に接する段部28を設け、この段部28に、前記コネクタ16に外部のコネクタ34を接続できるように、該コネクタ16が嵌合する開口部32を設け、該開口部32の口縁をプリントパターン14が露出しないようにコネクタ16に近接させて、前記段部28によりコネクタ16の周辺部分のプリントパターン14を覆うように構成し、一端側の係合手段20,21と、他端側の封止手段22とにより各ケース体17,18,19を着脱、開閉自在に結合し、この係合手段20,21及び封止手段22を透明な合成樹脂製としているので、外部から制御基板7の表裏両側を容易に透視でき、制御基板7側の不正改造等を容易に発見できると共に、開口部32側からの制御基板7のプリントパターン14に対する不正行為を未然に防止できる。」
（２）訂正の目的の適否及び拡張・変更の存否
　上記特許請求の範囲の訂正内容は、特許明細書及び図面に記載された事項の範囲内であり、かつ特許請求の範囲の減縮に該当し、実質的に特許請求の範囲を拡張・変更するものではない。
　また、同時になされた発明の詳細な説明の欄の訂正内容は、特許明細書及び図面に記載された事項の範囲内であって、上記特許請求の範囲の訂正内容との整合性を図るべく明瞭でない記載の釈明を目的とし、実質上特許請求の範囲を拡張・変更するものではない。
（３）独立特許要件の判断
（３−１）訂正明細書の発明
　訂正明細書の請求項１ないし５に係る発明（以下、第１発明ないし第５発明という）は、訂正明細書の特許請求の範囲の請求項１ないし５に記載された次の事項により特定されるものである。
「【請求項１】開閉自在に結合された複数個のケース体(17)(18)(19)を備え、遊技動作を制御するＲＯＭ等の電気部品(15)、コネクタ(16)及びプリントパターン(14)を備えた制御基板(7)を、これらケース体(17)(18)(19)により外側から覆うように収納した弾球遊技機用の基板ケースにおいて、各ケース体(17)(18)(19)は制御基板(7)を外部から透視可能な透明な合成樹脂製とし、コネクタ(16)側のケース体(18)に、制御基板(7)に接する段部(28)を設け、この段部(28)に、前記コネクタ(16)に外部のコネクタ(34)を接続できるように、該コネクタ(16)が嵌合する開口部(32)を設け、該開口部(32)の口縁をプリントパターン(14)が露出しないようにコネクタ(16)に近接させて、前記段部(28)によりコネクタ(16)の周辺部分のプリントパターン(14)を覆うように構成し、一端側の係合手段(20)(21)と、他端側の封止手段(22)とにより各ケース体(17)(18)(19)を着脱、開閉自在に結合し、この係合手段(20)(21)及び封止手段(22)を透明な合成樹脂製としたことを特徴とする弾球遊技機用の基板ケース。
【請求項２】制御基板(7)の両側の各ケース体(17)(18)に透明な合成樹脂製の基板固定部(23)(26)を設け、この基板固定部(23)(26)により制御基板(7)を固定したことを特徴とする請求項1に記載の弾球遊技機用の基板ケース。
【請求項３】複数個のケース体(17)(18)(19)の内、少なくとも1個のケース体(19)に放熱孔(38)を設け、この放熱孔(38)を小孔状に形成したことを特徴とする請求項1又は2に記載の弾球遊技機用の基板ケース。
【請求項４】ケース体(17)(18)(19)の一端側に透明な合成樹脂製の係合手段(20)(21)を、他端側に透明な合成樹脂製の封止手段(22)を設け、この係合手段(20)(21)と封止手段(22)とにより各ケース体(17)(18)(19)を結合したときに、基板固定部(23)(26)により制御基板(7)を挟持して固定するようにしたことを特徴とする請求項1乃至3の何れかに記載の弾球遊技機用の基板ケース。
【請求項５】外側の一方のケース体(17)に、内部にピン係止部(42)が形成された有底状のピン嵌合部(39)を、外側の他方のケース体(19)に、ピン嵌合部(39)に対応するピン保持部(40)を夫々設け、一方のケース体(17)とピン嵌合部(39)との間、他方のケース体(19)とピン保持部(40)との間の少なくとも一方に切断部(41)を介在し、ピン嵌合部(39)側に破壊的に押し込んだ時にピン保持部(40)内に離脱不能に嵌合し且つピン嵌合部(39)内でピン係止部(42)に離脱不能に係合する封止ピン(43)をピン保持部(40)に設けたことを特徴とする請求項1乃至4の何れかに記載の弾球遊技機用の基板ケース。」
（３−２）引用刊行物記載の発明
　当審が先の取消理由通知書にて示した本件特許の出願日前の出願であってその後に出願公開された特願平９−１９５８１３号（特開平１１−３３１９４号）の願書に最初に添付した明細書及び図面には、以下の発明が記載されている。
「【００１８】このケース体４２は略長方形状の底板４３とその四周には所定の高さで立上がる側壁４４ａ，４４ｂ，４４ｃ，４４ｄが形成されるとともに、その側壁４４ａ，４４ｂの角部は所定の角度で切欠き状に斜状壁４５が形成されている。また、底板４３の斜状壁４５を挟む対角の図示隅部には基板取付用ボス４６ａ，４６ｂが立設され、また、斜状壁４５側には同斜状壁４５を底辺とする所定の三角頂点位置にカバー取付用基準ボス４７が立設されている。また、側壁４４ａ，４４ｂ，４４ｃ，４４ｄおよび斜状壁４５の上縁には制御基板４１を同一面に嵌込む嵌込み凹部４８が連続して凹設されている。また、このケース体４２の側壁４４ｃには所定の間隔でカバー体５５を回動可能に掛合する掛合ピン４９ａと支持片４９ｂとからなる掛合部４９が形成されている。
【００１９】また、ケース体４２の嵌込み凹部４８に同一面に嵌込まれる制御基板４１は上記基板１１と同様に嵌込み凹部４８に嵌込まれる略長方形状に形成されて、その嵌込み上面側が実装面５０とされ、この実装面５０のカバー体５５で覆われる部分には図示はしないがＲＯＭ、ＩＣ、ヒューズ等の部品が実装されている。また、この制御基板４１の所定の位置には放熱板５１ａ，５１ｂが配設されている。
【００２０】また、この制御基板４１のケース体４２の斜状壁４５を挟む側壁４４ａ，４４ｂ側には２Ｐ電源コネクタＲＣＮおよびコネクタＣＮ１−ＣＮ７が配設され、このコネクタＣＮ１−ＣＮ７は例えば雄タイプのもので略長方形状の保護基板５２には所定のピッチで複数本のコンタクト端子５３がそれぞれ立設され、２Ｐ電源コネクタＲＣＮおよび各コネクタＣＮ１−ＣＮ７のコンタクト端子５３は、制御基板４１に実装された部品に図示はしないが実装面５０に所定のプリントパターンで接続されたプリント配線が接続されている。このように実装部品を配設した制御基板４１は基板取付用ボス４６ａ，４６ｂおよびカバー取付用基準ボス４７にカバー体５５に固定用ビスにより共締め固定するようになっている。このように制御基板４１を取付けたケース体４２にはカバー体５５が実装部品を覆うように取付けられている。　　　　　
【００２３】また、このケース体４２に制御基板４１を嵌込み、カバー体５５を型合せした状態で、例えば斜状壁４５，５８および側壁４４ｄ，５７ｄの側壁４４ａと取付部６２寄りには制御基板収納ボックス４０を封印する封印部群６５が配設され、この封印部群６５は、封印ビス６７によって封印可能な複数（図では４個の場合を例示する）の封印部６６を備えている。なお、この封印群６５は同一に構成されているので側壁４４ｄ，５７ｄ側の封印部群６５について図６ないし図１０を参照して説明し、他の封印部群の説明は省略する。なお、図６は封印部群６５の平面図、図７は封印部６６の封印状態を示す断面図、図８は封印ビス６７の仮止め状態の断面図、図９は封印部６６の分解断面図、図１０は封印ビス６７の説明図である。
【００２４】先ず、封印ビス６７について図１０を参照して説明する。図１０において、封印ビス６７は、締めつけは可能であるが、弛めを不可能としたワンウェイタイプのネジであり、（ａ）は封印ビス６７の平面図、（ｂ）は正面図、（ｃ）は底面図、（ｄ）はネジ山６８ａの断面図である。封印ビス６７は、図（ａ）−（ｃ）に示すように、ネジ山６８ａを外周に有する軸部６８と、十字ドライバー等の回動操作部材と係合する係合孔６９ａを上面に有する頭部６ ９とからなる。頭部６９の係合孔６９ａは、十字ドライバー等による回動工具の締めつけ方向（図（ａ）中、矢印Ａ方向参照）に関しては係合し、逆に弛め方向（図（ａ）中、矢印Ｂ方向参照）に関しては非係合となる形状に形成されている。また軸部６８のネジ山６８ａには、図（ｂ）及び（ｃ）に示されるように円周上に４ヶ所の溝部６８ｂがネジ山６８ａと交差状に形成されている。またネジ山６８ａのネジ山角は、図（ｄ）に示されるように上下非対称となっている。
【００２６】次に、封印部６６について説明する。図９に示すようにケース体４２の側壁４２ｄには、有底状の下孔７０ａを有する封印ボス部７０が開封部７０ｂを介して側方へ突出状に形成されている。またカバー体５５の側壁５７ｄ側には、ケース体４２の封印ボス部７０に対応して封印締着部７１が開封部７１ｂを介して側方へ突出状に形成されている。両開封部７０ｂ，７１ｂは、平面的に見てほぼ同じ幅の首状に細く形成されており、ニッパー、カッター等の切断工具により切断可能となっている。また封印ボス部７０と封印締着部７１との合わせ面には、相互に嵌まり合う円形の係合凸部７２ａと係合凹部７２ｂとからなる係合手段が設けられている。
【００２７】また、封印締着部７１は、ほぼ円筒状に形成されており、図示下端部にビス孔７１ａを有しており、そのビス孔７１ａより図示上方部分にビス保持部７３を有している。ビス保持部７３の上半部には、周方向に２個のスリット７４が形成されている（図６参照）。また図において、封印ビス６７の頭部６９の外径をｄ１ 、軸部６８の外径をｄ２としたとき、ビス保持部７３の内径Ｄ１、ビス孔７１ａの口径Ｄ２、封印ボス部７０の下孔の内径Ｄ３は、Ｄ１＜ｄ１、Ｄ２＞ｄ２ 、Ｄ３＜ｄ２の寸法関係を満たすように形成されている。また封印締着部７１は、封印ビス６７を収容可能な高さを有している。
【００２８】また、封印締着部７１において、ビス保持部７３に封印ビス６７が挿入されることにより、封印ビス６７の頭部６９によりビス保持部７３がスリット７４間を開くように拡開され、その拡開に抵抗する弾性によって頭部６９が保持されることによって仮止めされる（図８参照）。そして、ケース体４２に対するカバー体５５の組付けにともないケース体４２の封印ボス部７０とカバー体５５の封印締着部７１とが係合凸部７２ａと係合凹部７２ｂの嵌め合いを介して同一軸線上に位置する（図８参照）。そして封印に際しては、封印ビス６７が回動工具によって当該封印ボス部７０の下孔７０ａに締め付けられることによって封印がなされる（図７参照）。
【００３０】次に、図６に示すように、封印部群６５の４個の封印部６６は、図示上から下へ１回目用、２回目用、３回目用、４回目用の封印部６６となっており、カバー体５５の開封部７１ｂの上面およびケース体４２の開封部７０ｂの下面には、封印順位を示す「１，２，３，４」の封印番号７７が付されている。制御基板収納ボックス４０の組み立て完了時には、各封印部群６５の「１」の封印番号７７の封印部６６が封印ビス６７によって封印されており、各封印部群６５の「２，３，４」の封印番号７７の封印部６６は予備であって封印されていない。なお、封印番号７７は、印刷、刻み込み、樹脂成形金型によって付けることができる。また、封印番号は、算用数字の他、ローマ数字、アルファベット、記号等でも代用することが可能である。」
（３−３）対比判断
　上記先願発明の構成要素であるケース体４２、カバー体５５、制御基板４１、遮蔽部材８０、８３、窓部８２、８５、８６は、本件第１発明のケース体（１７〜１９）、制御基板（７）、段部（２８）、開口部（３２）に対応相当する。
　そこで、本件第１発明と先願発明とを対比すると、両者は「開閉自在に結合された複数個のケース体を備え、遊技動作を制御するＲＯＭ等の電気部品、コネクタ及びプリントパターンを備えた制御基板を、これらケース体により外側から覆うように収納した弾球遊技機用の基板ケースにおいて、コネクタ側のケース体に、制御基板に接する段部を設け、この段部に、前記コネクタに外部のコネクタを接続できるように、該コネクタが嵌合する開口部を設け、該開口部の口縁をプリントパターンが露出しないようにコネクタに近接させて、前記段部によりコネクタの周辺部分のプリントパターンを覆うように構成し、一端側の係合手段と、他端側の封止手段とにより各ケース体を着脱、開閉自在に結合した弾球遊技機用の基板ケース」の点で一致するが、本件第１発明で特定する「各ケース体は制御基板を外部から透視可能な透明な合成樹脂製」とする構成、及び「係合手段及び封止手段を透明な合成樹脂製」とする構成は、先願発明には開示されておらず、また弾球遊技機分野において周知・自明の事項でもない。
　したがって、本件第１発明は上記先願の明細書及び図面に記載された発明と同一であるということはできない。
　また、本件第２発明ないし第５発明は第１発明を引用する従属発明であるから、上記先願の発明と同一とすることはできない。
　したがって、本件第１発明ないし第５発明は、いずれも特許出願の際独立して特許を受けることができるものである。
（４）むすび
　以上のとおり、上記訂正の内容は特許法第１２０条の４第２項及び同条第３項で準用する同法第１２６条第２ないし４項の規定に適合するから、当該訂正請求を認める。
３．特許異議の申立てについての判断
（１）申立て理由の概要
　申立人荒井俊之は、本件特許の請求項１ないし５に係る発明は、本件特許の出願日前の出願であってその後に出願公開された甲第１号証出願の明細書及び図面に記載された発明よ同一であり、特許法第２９条の２の規定に違反して特許されたものであるから、その特許は同法第１１３条第１項第２号の規定により取り消されるべきである旨主張している。
  また同町田彬は、本件特許の請求項１、２に係る発明は、甲第１号証記載の発明と同一であり特許法第２９条１項３号の規定に違反し、また請求項１ないし５に係る発明は甲第１号証ないし甲第６号証記載の発明から容易になし得たものであり同法第２９条第２項の規定に違反し、さらに請求項１ないし４項に係る発明は、本件特許の出願日前の出願であってその後に出願公開された甲第７号証出願の明細書及び図面に記載の発明と同一であり、同法第２９条の２の規定に違反して特許されたものであるから、その特許は同法第１１３条第１項第２号の規定により取り消されるべきである旨主張している。
（２）訂正後の本件請求項１ないし５に係る発明
　本件特許の請求項１ないし５に係る発明（以下、本件第１発明ないし第５発明という）は、訂正明細書の特許請求の範囲の請求項１ないし５に記載されたとおりのものである（上記２．（３）独立特許要件の判断、参照）。
（３）証拠及び対比・判断
（申立人荒井俊之が提出した証拠、及び判断について）
　申立人荒井俊之が提出した甲第１号証は、当審による先の取消理由で引用した先願の発明である。そして、前記２．（３）独立特許要件で示したように、本件第１発明ないし第５発明が当該先願の発明と同一であるとすることはできない。
（申立人町田彬が提出した証拠、及び判断について）
　申立人町田彬が提出した甲第１号証（特開平８−２６６７１１号公報）、甲第２号証（特開平５−５７０４５号公報）、甲第３号証（特開平９−２５３２７９号公報）、甲第４号証（特開平９−２２０３３３号公報）、甲第５号証（実願平４−７９８７２号（実開平５−６８５８７号）の全文マイクロフィルム）、甲第６号証（特開平１−２８４２７９号公報）には、弾球遊技機用の基盤ケースに関し、不正行為の発見を容易にするためにケース体のカバーを透明合成樹脂によって形成すること、ケース体を係合手段と封止手段によって着脱・開閉自在に結合すること、ケース体の段部にコネクタを接続すること、コネクタの実装領域の結線パターンを被覆すること等が開示されているが、本件第１発明で特定する「各ケース体は制御基板を外部から透視可能な透明な合成樹脂製」とする構成、及び「係合手段及び封止手段を透明な合成樹脂製」とする構成は、甲号各証には開示されておらず、またそれを示唆する記載もない。
　そして、本件第１発明は当該構成によって、「外部から不正改造等を容易に発見できる」とする明細書記載の効果を奏するものであるから、甲号各証記載の発明であるとも、また同発明から容易に発明し得たものとすることもできない。
　また、第２発明ないし第５発明は、いずれも第１発明を引用する従属発明であるから、同証拠に記載の発明から容易になし得たものとすることはできない。
　一方、先願である甲第７号証（特願平９−１１１８７３号（特開平１０−２８６３６５号）の願書に最初に添付した明細書及び図面）には、「開閉自在に結合された複数個のケース体を備え、遊技動作を制御するＲＯＭ等の電気部品、コネクタ及びプリントパターンを備えた制御基板を、これらケース体により外側から覆うように収納した弾球遊技機用の基板ケースにおいて、コネクタ側のケース体に、制御基板に接する段部を設け、この段部に、前記コネクタに外部のコネクタを接続できるように、該コネクタが嵌合する開口部を設け、該開口部の口縁をプリントパターンが露出しないようにコネクタに近接させて、前記段部によりコネクタの周辺部分のプリントパターンを覆うように構成し、一端側の係合手段と、他端側の封止手段とにより各ケース体を着脱、開閉自在に結合した弾球遊技機用の基板ケース」は記載されているが、本件第１発明で特定する「各ケース体は制御基板を外部から透視可能な透明な合成樹脂製」とする構成、及び「係合手段及び封止手段を透明な合成樹脂製」とする構成は、先願発明には何ら開示されておらず、また遊技機分野において周知・自明の事項でもない。
　したがって、本件第１発明は上記先願の明細書及び図面に記載された発明と同一であるということはできない。
　また、本件第２発明ないし第４発明は第１発明を引用する従属発明であるから、上記先願発明と同一とすることはできない。
（４）むすび
　以上のとおり、申立人が主張する各理由及び各証拠によっては、本件発明に係る特許を取り消すことはできない。
　さらに、本件発明に係る特許を取り消すべき他の理由を発見しない。
　よって、結論のとおり決定する。
【異議決定日】
平成１２年８月２３日（２０００．８．２３）
【訂正の要旨】
訂正の要旨
１．特許請求の範囲の訂正
「【請求項１】開閉自在に結合された複数個のケース体（１７）（１８）（１９）を備え、遊技動作を制御するＲＯＭ等の電気部品（１５）、コネクタ（１６）及びプリントパターン（１４）を備えた制御基板（７）を、これらケース体（１７）（１８）（１９）により外側から覆うように収納した弾球遊技機用の基板ケースにおいて、各ケース体（１７）（１８）（１９）は制御基板（７）を外部から透視可能な構造を有し、コネクタ（１６）側のケース体（１８）に、制御基板（７）に接する段部（２８）を設け、この段部（２８）に、前記コネクタ（１６）に外部のコネクタ（３４）を接続できるように、該コネクタ（１６）が嵌合する開口部（３２）を設け、該開口部（３２）の口縁をプリントパターン（１４）が露出しないようにコネクタ（１６）に近接させて、前記段部２８によりコネクタ（１６）の周辺部分のプリントパターン（１４）を覆うように構成したことを特徴とする弾球遊技機用の基板ケース。
　【請求項２】各ケース体（１７）（１８）（１９）を透明な合成樹脂製とし、制御基板（７）の両側の各ケース体（１７）（１８）に透明な合成樹脂製の基板固定部（２３）（２６）を設け、この基板固定部（２３）（２６）により制御基板（７）を固定したことを特徴とする請求項１に記載の弾球遊技機用の基板ケース。
　【請求項３】複数個のケース体（１７）（１８）（１９）の内、少なくとも１個のケース体（１９）に放熱孔（３８）を設け、この放熱孔（３８）を小孔状に形成したことを特徴とする請求項１又は２に記載の弾球遊技機用の基板ケース。
　【請求項４】ケース体（１７）（１８）（１９）の一端側に透明な合成樹脂製の係合手段（２０）（２１）を、他端側に透明な合成樹脂製の封止手段（２２）を設け、この係合手段（２０）（２１）と封止手段（２２）とにより各ケース体（１７）（１８）（１９）を結合したときに、基板固定部（２３）（２６）により制御基板（７〉を挟持して固定するようにしたことを特徴とする請求項１乃至３の何れかに記載の弾球遊技機用の基板ケース。
　【請求項５】外側の一方のケース体（１７）に、内部にピン係止部（４２）が形成された有底状のピン嵌合部（３９）を、外側の他方のケース体（１９）に、ピン嵌合部（３９）に対応するピン保持部（４０）を夫々設け、一方のケース体（１７）とピン嵌合部（３９）との間、他方のケース体（１９）とピン保持部（４０）との間の少なくとも一方に切断部（４１）を介在し、ピン嵌合部（３９）側に破壊的に押し込んだ時にピン保持部（４０）内に離脱不能に嵌合し且つピン嵌合部（３９）内でピン係止部（４２）に離脱不能に係合する封止ピン（４３）をピン保持部（４０）に設けたことを特徴とする請求項１乃至４の何れかに記載の弾球遊技機用の基板ケース。」を、
「【請求項１】開閉自在に結合された複数個のケース体（１７）（１８）（１９）を備え、遊技動作を制御するＲＯＭ等の電気部品（１５）、コネクタ（１６）及びプリントパターン（１４）を備えた制御基板（７）を、これらケース体（１７）（１８）（１９）により外側から覆うように収納した弾球遊技機用の基板ケースにおいて、各ケース体（１７）（１８）（１９）は制御基板（７）を外部から透視可能な透明な合成樹脂製とし、コネクタ（１６）側のケース体（１８）に、制御基板（７）に接する段部（２８）を設け、この段部（２８）に、前記コネクタ（１６）に外部のコネクタ（３４）を接続できるように、該コネクタ（１６）が嵌合する開口部（３２）を設け、該開口部（３２）の口縁をプリントパターン（１４）が露出しないようにコネクタ（１６）に近接させて、前記段部（２８）によりコネクタ（１６）の周辺部分のプリントパターン（１４）を覆うように構成し、一端側の係合手段（２０）（２１）と、他端側の封止手段（２２）とにより各ケース体（１７）（１８）（１９）を着脱、開閉自在に結合し、この係合手段（２０）（２１）及び封止手段（２２）を透明な合成樹脂製としたことを特徴とする弾球遊技機用の基板ケース。
　【請求項２】制御基板（７）の両側の各ケース体（１７）（１８）に透明な合成樹脂製の基板固定部（２３）（２６）を設け、この基板固定部（２３）（２６）により制御基板（７）を固定したことを特徴とする請求項１に記載の弾球遊技機用の基板ケース。
　【請求項３】複数個のケース体（１７）（１８）（１９）の内、少なくとも１個のケース体（１９）に放熱孔（３８）を設け、この放熱孔（３８）を小孔状に形成したことを特徴とする請求項１又は２に記載の弾球遊技機用の基板ケース。
　【請求項４】ケース体（１７）（１８）（１９）の一端側に透明な合成樹脂製の係合手段（２０）（２１）を、他端側に透明な合成樹脂製の封止手段（２２）を設け、この係合手段（２０）（２１）と封止手段（２２）とにより各ケース体（１７）（１８）（１９）を結合したときに、基板固定部（２３）（２６）により制御基板（７）を挟持して固定するようにしたことを特徴とする請求項１乃至３の何れかに記載の弾球遊技機用の基板ケース。
　【請求項５】外側の一方のケース体（１７）に、内部にピン係止部（４２）が形成された有底状のピン嵌合部（３９）を、外側の他方のケース体（１９）に、ピン嵌合部（３９）に対応するピン保持部（４０）を夫々設け、一方のケース体（１７）とピン嵌合部（３９）との間、他方のケース体（１９）とピン保持部（４０）との間の少なくとも一方に切断部（４１）を介在し、ピン嵌合部（３９）側に破壊的に押し込んだ時にピン保持部（４０）内に離脱不能に嵌合し且つピン嵌合部（３９）内でピン係止部（４２）に離脱不能に係合する封止ピン（４３）をピン保持部（４０）に設けたことを特徴とする請求項１乃至４の何れかに記載の弾球遊技機用の基板ケース。」と訂正する。
２．発明の詳細な説明の欄の訂正
（訂正事項１）
「【０００９】
　【課題を解決するための手段】本発明は、開閉自在に結合された複数個のケース体１７，１８，１９を備え、遊技動作を制御するＲＯＭ等の電気部品１５、コネクタ１６及びプリントパターン１４を備えた制御基板７を、これらケース体１７，１８，１９により外側から覆うように収納した弾球遊技機用の基板ケースにおいて、各ケース体１７，１８，１９は制御基板７を外部から透視可能な構造を有し、コネクタ１６側のケース体１８に、制御基板７に接する段部２８を設け、この段部２８に、前記コネクタ１６に外部のコネクタ３４を接続できるように、該コネクタ１６が嵌合する開口部３２を設け、該開口部３２の口縁をプリントパターン１４が露出しないようにコネクタ１６に近接させて、前記段部２８によりコネクタ１６の周辺部分のプリントパターン１４を覆うように構成している。」を、
「【０００９】
　【課題を解決するための手段】本発明は、開閉自在に結合された複数個のケース体１７，１８，１９を備え、遊技動作を制御するＲＯＭ等の電気部品１５、コネクタ１６及びプリントパターン１４を備えた制御基板７を、これらケース体１７，１８，１９により外側から覆うように収納した弾球遊技機用の基板ケースにおいて、各ケース体１７，１８，１９は制御基板７を外部から透視可能な透明な合成樹脂製とし、コネクタ１６側のケース体１８に、制御基板７に接する段部２８を設け、この段部２８に、前記コネクタ１６に外部のコネクタ３４を接続できるように、該コネクタ１６が嵌合する開口部３２を設け、該開口部３２の口縁をプリントパターン１４が露出しないようにコネクタ１６に近接させて、前記段部２８によりコネクタ１６の周辺部分のプリントパターン１４を覆うように構成し、一端側の係合段２０，２１と、他端側の封止手段２２とにより各ケース体１７，１８，１９を着脱、開閉自在に結合し、この係合手段２０，２１及び封止手段２２を透明な合成樹脂製としている。」と訂正する。
　（訂正事項２）
「【００７０】
　【発明の効果】本発明によれば、開閉自在に結合された複数個のケース体１７，１８，１９を備え、遊技動作を制御するＲＯＭ等の電気部品１５、コネクタ１６及びプリントパターン１４を備えた制御基板７を、これらケース体１７，１８，１９により外側から覆うように収納した弾球遊技機用の基板ケースにおいて、各ケース体１７，１８，１９は制御基板７を外部から透視可能な構造を有し、コネクタ１６側のケース体１８に、制御基板７に接する段部２８を設け、この段部２８に、前記コネクタ１６に外部のコネクタ３４を接続できるように、該コネクタ１６が嵌合する開口部３２を設け、該開口部３２の口縁をプリントパターン１４が露出しないようにコネクタ１６に近接させて、前記段部２８によりコネクタ１６の周辺部分のプリントパターン１４を覆うように構成しているので、外部から制御基板７の表裏両側を容易に透視でき、制御基板７側の不正改造等を容易に発見できると共に、開口部３２側からの制御基板７のプリントパターン１４に対する不正行為を未然に防止できる。」を、
「【００７０】
　【発明の効果】本発明によれば、開閉自在に結合された複数個のケース体１７，１８，１９を備え、遊技動作を制御するＲＯＭ等の電気部品１５、コネクタ１６及びプリントパターン１４を備えた制御基板７を、これらケース体１７，１８，１９により外側から覆うように収納した弾球遊技機用の基板ケースにおいて、各ケース体１７，１８，１９は制御基板７を外部から透視可能な透明な合成樹脂製とし、コネクタ的側のケース体１８に、制御基板７に接する段部２８を設け、この段部２８に、前記コネクタ１６に外部のコネクタ３４を接続できるように、該コネクタ１６が嵌合する開口部３２を設け、該開口部３２の口縁をプリントパターン１４が露出しないようにコネクタ１６に近接させて、前記段部２８によりコネクタ１６の周辺部分のプリントパターン１４を覆うように構成し、一端側の係合手段２０，２１と、他端側の封止手段２２とにより各ケース体１７，１８，１９を着脱、開閉自在に結合し、この係合手段２０，２１及び封止手段２２を透明な合成樹脂製としているので、外部から制御基板７の表裏両側を容易に透視でき、制御基板７側の不正改造等を容易に発見できると共に、開口部３２側からの制御基板７のプリントパターン１４に対する不正行為を未然に防止できる。」と訂正する。
（５４）【発明の名称】
弾球遊技機用の基板ケース
（５７）【特許請求の範囲】
　　【請求項１】　開閉自在に結合された複数個のケース体（１７）（１８）（１９）を備え、遊技動作を制御するＲＯＭ等の電気部品（１５）、コネクタ（１６）及びプリントパターン（１４）を備えた制御基板（７）を、これらケース体（１７）（１８）（１９）により外側から覆うように収納した弾球遊技機用の基板ケースにおいて、各ケース体（１７）（１８）（１９）は制御基板（７）を外部から透視可能な
透明な合成樹脂製とし
構成し、一端側の係合手段（２０）（２１）と、他端側の封止手段（２２）とにより各ケース体（１７）（１８）（１９）を着脱、開閉自在に結合し、この係合手段（２０）（２１）及び封止手段（２２）を透明な合成樹脂製とし
　　【請求項２】　
制御
　　【請求項３】　複数個のケース体（１７）（１８）（１９）の内、少なくとも１個のケース体（１９）に放熱孔（３８）を設け、この放熱孔（３８）を小孔状に形成したことを特徴とする請求項１又は２に記載の弾球遊技機用の基板ケース。
　　【請求項４】　ケース体（１７）（１８）（１９）の一端側に透明な合成樹脂製の係合手段（２０）（２１）を、他端側に透明な合成樹脂製の封止手段（２２）を設け、この係合手段（２０）（２１）と封止手段（２２）とにより各ケース体（１７）（１８）（１９）を結合したときに、基板固定部（２３）（２６）により制御基板（７）を挟持して固定するようにしたことを特徴とする請求項１乃至３の何れかに記載の弾球遊技機用の基板ケース。
　　【請求項５】　外側の一方のケース体（１７）に、内部にピン係止部（４２）が形成された有底状のピン嵌合部（３９）を、外側の他方のケース体（１９）に、ピン嵌合部（３９）に対応するピン保持部（４０）を夫々設け、一方のケース体（１７）とピン嵌合部（３９）との間、他方のケース体（１９）とピン保持部（４０）との間の少なくとも一方に切断部（４１）を介在し、ピン嵌合部（３９）側に破壊的に押し込んだ時にピン保持部（４０）内に離脱不能に嵌合し且つピン嵌合部（３９）内でピン係止部（４２）に離脱不能に係合する封止ピン（４３）をピン保持部（４０）に設けたことを特徴とする請求項１乃至４の何れかに記載の弾球遊技機用の基板ケース。
【発明の詳細な説明】
　　　【０００１】
　　【発明の属する技術分野】
　本発明は、パチンコ機、アレンジボール機等の弾球遊技機に使用する弾球遊技機用の基板ケースに関するものである。
　　　【０００２】
　　【従来の技術】
　パチンコ機等の弾球遊技機では、開閉自在な基板ケース内に、ＲＯＭ等の電気部品、コネクタ及びプリントパターンが装着された制御基板を収納し、この基板ケースを遊技盤の裏側の裏カバー等に装着して、制御基板側のＲＯＭ等の電気部品により遊技動作を制御する電子制御方式を採用している。
　　　【０００３】
　この種の弾球遊技機では、特許第２６３０６８号公報に記載のように、不透明な材料により成形されたケース本体と、透明な合成樹脂材料により成形されたケース蓋体とによって開閉自在な基板ケースを構成し、制御基板側のＲＯＭ等の電気部品の状態を外部から透視できるようにしている。
　　　【０００４】
　また基板ケースのケース本体とケース蓋体とを封印シール等の封印手段で封印しておき、監督官庁等の検査機関による検査の時には、封印シールを破れば容易に基板ケースを開放でき、封印シールを破って制御基板側のＲＯＭを交換する等、不正改造を行った場合には、封印シールの損傷状態を見れば容易に発見できるようにしている。
　　　【０００５】
　更にケース蓋体に多数の放熱孔を形成し、制御基板側の電気部品で発生した熱を各放熱孔から外部に放熱するようにしている。
　　　【０００６】
　　【発明が解決しようとする課題】
　従来の基板ケースは、ケース蓋体に透明な合成樹脂材料を使用しているが、ケース本体側を不透明な材料により成形しているので、制御基板の裏側を外部から透視して確認することはできない。このため、痕跡が残らないように封印シールを剥がして、制御基板の裏側で不正改造等を行った場合には、ケース蓋体側から制御基板を透視しただけでは、その不正改造等を発見することは非常に困難である。
　　　【０００７】
　また従来の基板ケースは、ケース蓋体側の各放熱孔が大きいため、この放熱孔から工具等を挿入することにより、制御基板側の電気部品、その他に不正改造が行なわれる恐れがあり、制御基板側の不正改造を未然に防止し得ない欠点がある。
　　　【０００８】
　本発明は、このような従来の課題に鑑み、外部から制御基板の表裏両側を容易に透視でき、制御基板側の不正改造等を容易に発見できると共に、制御基板のプリントパターンに対する不正行為を未然に防止できる弾球遊技機用の基板ケースを提供することを目的とする。
　　　【０００９】
　　【課題を解決するための手段】
　本発明は、開閉自在に結合された複数個のケース体１７，１８，１９を備え、遊技動作を制御するＲＯＭ等の電気部品１５、コネクタ１６及びプリントパターン１４を備えた制御基板７を、これらケース体１７，１８，１９により外側から覆うように収納した弾球遊技機用の基板ケースにおいて、各ケース体１７，１８，１９は制御基板７を外部から透視可能な
透明な合成樹脂製とし
構成し、一端側の係合手段２０，２１と、他端側の封止手段２２とにより各ケース体１７，１８，１９を着脱、開閉自在に結合し、この係合手段２０，２１及び封止手段２２を透明な合成樹脂製とし
　　　【００１０】
　　【発明の実施の形態】
　以下、本発明の実施形態を図面に基づいて詳述する。
　　　【００１１】
　図面は本発明の一実施形態を例示する。図１は弾球遊技機の裏側を示し、１は矩形状の外枠、２は外枠１の前側に装着された前枠で、これらにより弾球遊技機本体が構成されている。前枠２には裏側から遊技盤が着脱自在に装着され、裏機構板３により裏側から押圧して固定されている。遊技盤には入賞手段、変動図柄表示手段等が装着されると共に、それらを裏側から覆う裏カバー４が裏側に装着されている。
　　　【００１２】
　裏機構板３は前枠２の裏側に開閉自在に枢着され、４個のロックレバー５で前枠２の裏側に固定されている。裏機構板３には、その中央部に裏カバー４が嵌合するように開口部が形成されている。裏カバー４は、遊技盤の入賞手段、変動図柄表示手段等を裏側から覆うように遊技盤に装着されている。裏カバー４には矩形状の点検窓が形成され、その点検窓を塞ぐように、制御基板（図２〜図５参照）を収納した基板ケース６が左右一対の係止爪８等を介して裏カバー４に着脱自在に装着されている。
　　　【００１３】
　９は発射手段で、前枠２の裏側に装着された発射モータ１０等を備え、前枠２の前面側の発射ハンドルを操作した時に発射モータ１０が作動して、発射レール上の遊技球を遊技盤側に発射するように構成されている。１１は賞球を貯留する賞球タンク、１２は賞球タンク１１からの賞球を案内する賞球レールである。１３は払い出し手段で、入賞時に賞球タンク１１から賞球レール１２を経て供給される遊技球を上皿へと払い出すようになっている。なお、賞球タンク１１、賞球レール１２及び払い出し手段１３は、裏機構板３に装着されている。
　　　【００１４】
　制御基板７は図２〜図６に示すように矩形状であって、その表裏両面又は表面には多数のプリントパターン１４が形成されると共に、遊技盤側の遊技動作を制御するＲＯＭ等の電気部品１５とコネクタ１６が装着され、その電気部品１５とコネクタ１６がプリントパターン１４を介して電気的に接続されている。コネクタ１６は、図３に示すように制御基板７の縁側に設けられている。なお、制御基板７の必要箇所には、その箇所に配置される電気部品１５等を示す文字、記号等が適宜印刷により表示されている。
　　　【００１５】
　基板ケース６は、内部の制御基板７側を透視できるように全てが透明な合成樹脂製であって、図２〜図５に示すように、無色透明又は着色透明等の透明な合成樹脂材料により成形されたケース本体（第１ケース体）１７と中間ケース体（第３ケース体）１８とケース蓋体（第２ケース体）１９とに分割されている。ケース本体１７、中間ケース体１８及びケース蓋体１９は、そのケース本体１７と中間ケース体１８との間に制御基板７を介在し収納した状態で、一端側の係合手段２０，２１と他端側の封止手段２２とにより着脱、開閉自在に結合され封止されている。なお、中間ケース体１８とケース蓋体１９は、一体に構成しても良い。
　　　【００１６】
　ケース本体１７は矩形板状であって、図３に示すように外周縁に基板固定部２３が形成されると共に、長手方向の一端縁側に２個の係合部２４が形成され、他端側に封止台２５が形成されている。中間ケース体１８は、図３及び図４に示すように所定の高さを有する略角形であって、その前後のケース本体１７側及びケース蓋体１９側が開放すると共に、ケース本体１７に対応する側に基板固定部２６と嵌合縁部２７と段部２８と係合片２９が、またケース蓋体１９に対応する側に係合縁３０と蓋受け部３１とが夫々設けられている。
　　　【００１７】
　嵌合縁部２７は封止台２５に対応する部分を除いて中間ケース体１８の略全周にあり、この嵌合縁部２７内にケース本体１７と、その基板固定部２３に当接する制御基板７とが嵌合されている。基板固定部２６は嵌合縁部２７の内側に段部２８と略同一高さに形成さており、この基板固定部２６とケース本体１７の外周側の基板固定部２３とで制御基板７の周縁部分を両側から挟持して固定するようになっている。
　　　【００１８】
　段部２８は基板固定部２６と略面一状で、図５及び図１３に示すように、中間ケース体１８の下縁側と係合手段２０側との二辺にその各辺に沿って設けられ、この各段部２８に制御基板７のコネクタ１６に対応する開口部３２が形成され、この開口部３２にネクタ１６が嵌合して外方に突出している。
　　　【００１９】
　開口部３２は、図５、図６及び図１３に示す如く、コネクタ１６の周辺部分の各プリントパターン１４が露出しないように、その口縁がコネクタ１６に近接しており、段部２８によってコネクタ１６の周辺部分の各プリントパターン１４を覆うようになっている。なお、開口部３２は、制御基板７側のコネクタ１６の基部側を取り囲む必要最小限の大きさであって、コネクタ１６と開口部３２の口縁との間の間隙から内部に工具等を挿入して不正改造等を行い得ないようになっている。コネクタ１６には、外部リード線３３のコネクタ３４が着脱自在に接続されている。
　　　【００２０】
　係合片２９は、図１３に示すように封止手段２２と反対側で嵌合縁部２７から内向きに２個突設され、ケース本体１７の係合部２４に下側から係合されている。係合縁３０は、封止手段２２と反対側で中間ケース体１８の開口側に内向きに設けられ、この係合縁３０の先端両側に２個の蓋受け部３１が設けられている。
　　　【００２１】
　ケース蓋体１９は、図２〜図５に示すように、係合縁３０に対応する部分を除く略全周に、中間ケース体１８の外周に嵌合する嵌合縁部３５が形成されると共に、係合縁３０に対応する側に、この係合縁３０に下側から係合する係合片３６が形成されている。ケース蓋体１９には、検査履歴を記載した検査履歴シールを貼付するためのシール貼付部３７と、制御基板７側の電気部品１５によって発生した熱を外部に放熱するための放熱孔３８が設けられている。
　　　【００２２】
　放熱孔３８は図２及び図５に示すようにシール貼付部３７の両側に多数設けられており、外部から不正改造用の工具等が挿入できないように小孔状に形成されている。放熱孔３８は、２ｍｍ程度以下の丸孔、角孔等が適当であるが、工具等が挿入できない大きさであれば良い。
　　　【００２３】
　なお、ケース本体１７と中間ケース体１８との係合手段２０は、係合部２４と係合片２９とにより構成され、また中間ケース体１８とケース蓋体１９との係合手段２１は、係合縁３０と蓋受け部３１と係合片３６とにより構成されている。
　　　【００２４】
　封止手段２２は、無色透明又は着色透明等の透明な合成樹脂材料により成形されており、図２、図７〜図１２に示すように、ケース本体１７側の封止台２５と、この封止台２５に形成された有底状の複数個（例えば８個であり、以下８個として説明する）のピン嵌合部３９と、各ピン嵌合部３９に対応する複数個のピン保持部４０と、各ピン保持部４０とケース蓋体１９を切断可能に連結する切断部４１と、ピン嵌合部３９側に破壊的に押圧した時にピン保持部４０に離脱不能に嵌合し且つピン嵌合部３９内でピン係止部４２に離脱不能に係合する複数個の封止ピン４３とを備えている。
　　　【００２５】
　封止台２５は図２に示すようにケース本体１７の側縁に沿って長く構成されたブロック状で、ケース本体１７の基板固定部２３の外側から起立する起立壁４４の外側に一体に成形するか、又は高周波接着等の接着により固定されている。封止台２５には、その長手方向に等間隔をおいて８個のピン嵌合部３９が設けられている。各ピン嵌合部３９は、図１０及び図１２に示すように、ピン係止部４２の両側で封止台２５に形成された孔部３９ａ，３９ｂを有し、その孔部３９ａ，３９ｂの深さ方向の略中央部に、内側に突出するピン係止部４２が形成され、また丸孔３９ｂの底部側が裏板４５により閉塞されている。従って、ピン嵌合部３９は、ピン係止部４２付きの有底状になっている。
　　　【００２６】
　裏板４５は、図１１に示すように封止台２５の全長に跨がる長さであり、この裏板４５には、封止台２５が嵌合する囲い壁４６と、各ピン嵌合部３９間で封止台２５の凹部４７に嵌合するピン４８とが一体に形成され、封止台２５に高周波接着等の接着により固定されている。裏板４５は、ピン嵌合部３９に対応する部分に不正に孔等を穿孔した時に、その穿孔痕跡が裏板４５側に残るように不規則な模様により構成される痕跡確認手段４９が設けられている。
　　　【００２７】
　痕跡確認手段４９は、例えば裏板４５を合成樹脂材料で成形する際に、透明な合成樹脂材料に少量の着色材を添加して不規則な流動模様等ができるように混練すれば良い。なお、着色材には透明着色材が適当である。痕跡確認手段４９を必要としない場合には、裏板４５を無色透明又は着色透明な合成樹脂材料で成形すれば良い。
　　　【００２８】
　各ピン保持部４０は円筒状で、図１０及び図１２に示すように封止台２５に当接する側に係合段部５０が形成され、この係合段部５０と反対側で切断部４１を介してケース蓋体１９に一体に形成されている。切断部４１は基板ケース６を開放して検査等を行う場合に、ニッパー等の工具で容易に切断し破壊できるように、中央部が細く括れた形状になっている。
　　　【００２９】
　封止ピン４３は、図７〜図１０、図１２に示すように、ピン嵌合部３９側に破壊的に押圧した時にピン保持部４０に離脱不能に嵌合し且つピン嵌合部３９内でピン係止部４２に離脱不能に係合するようになっている。即ち、封止ピン４３は、ピン保持部４０内で係合段部５０にピン嵌合部３９と反対側から係合可能な一対の係合頭部５１と、この係合頭部５１間の中央からピン嵌合部３９側に二股状に延びる一対の脚部５２と、この各脚部５２に外向きに形成された一方向性の封止用係合部５３と、ピン保持部４０のピン嵌合部３９と反対側の外周に遊嵌する環状部５４と、この環状部５４と各係合頭部５１を連結する一対の連結部５５と、この各連結部５５に、その厚さ方向の外側の一部が残るように細い円弧状の溝を入れて形成された破断部５６とを備えている。
　　　【００３０】
　なお、係合頭部５１と環状部５４との間には、一対の連結部５５と切り欠き部５７とが交互に点対称に配置されている。
　　　【００３１】
　破断部５６は、通常、図８、図１０に示すように係合頭部５１と環状部５４側の連結部５５とを連結しており、封止ピン４３の係合頭部５１側にドライバー等の先端を当ててピン嵌合部３９側へと押圧した時に簡単に破壊して、封止ピン４３の係合頭部５１をピン保持部４０内に押し込み得るようになっている。
　　　【００３２】
　封止用係合部５３は、図１０に示すように、破断部５６が破断しない状態ではピン保持部４０におけるピン嵌合部３９側の端縁に係合し、破断部５６を破断して係合頭部５１が係合段部５０に係合する位置まで封止ピン４３をピン保持部４０内に押し込んだ時に、ピン嵌合部３９内でピン係止部４２に離脱不能に係合可能である。
　　　【００３３】
　なお、封止ピン４３の脚部５２は、係合部５３から先端側の外側部分が傾斜案内面５２ａとなっている。また係合段部５０側の内径は、ピン嵌合部３９のピン係止部４２を除く孔部３９ａ，３９ｂ部分の内径よりも小径である。
　　　【００３４】
　ケース蓋体１９には、図２及び図８に示す如く封止手段２２の各ピン保持部４０等に対応するように、その一端側から他端側へと１〜４の数字が一列状に２組表示されており、基板ケース６を封止する際には、その２組の１〜４の数字の内、同じ数字に対応する箇所の封止ピン４３を使用する。
　　　【００３５】
　上記構成において、弾球遊技機を製作する際には、ＲＯＭ等の電気部品１５が装着された制御基板７を基板ケース６内に収納して封止手段２２により封止した後、この基板ケース６を裏カバー４側に装着する。
　　　【００３６】
　基板ケース６の組み立て時には、先ず電気部品１５がケース蓋体１９側となるように制御基板７をケース本体１７と中間ケース体１８との間に介在する。この場合、制御基板７をケース本体１７の基板固定部２３上にセットし、ケース本体１７の係合部２４に中間ケース体１８の係合片２９を係合させて、その後、基板固定部２３と基板固定部２６との間で制御基板７を挟むようにケース本体１７と中間ケース体１８とを組み合わせれば良い。なお、ケース本体１７の係合部２４に中間ケース体１８の係合片２９を係合させた状態で、ケース本体１７の基板固定部２３上に制御基板７をセットした後、ケース本体１７と中間ケース体１８とを組み合わせても良い。
　　　【００３７】
　ケース本体１７と中間ケース体１８との間に制御基板７を介在すると、ケース本体１７の基板固定部２３と中間ケース体１８の基板固定部２６とで制御基板７を挟んだ状態になり、その制御基板７の外周側に嵌合縁部２７が嵌合する。
　　　【００３８】
　次にケース蓋体１９の係合片３６を中間ケース体１８の蓋受け部３１間で係合縁３０の下側に挿入し、このケース蓋体１９で中間ケース体１８の開口側を閉塞する。その後、ケース蓋体１９をセットし、封止手段２２により基板ケース６を封止すれば、係合手段２０，２１と封止手段２２とによってケース本体１７と中間ケース体１８とケース蓋体１９とを結合できる。従って、制御基板７を収納した状態で基板ケース６を容易に封止できると同時に、そのケース本体１７と中間ケース体１８との基板固定部２３，２６間で制御基板７を容易に固定できる。
　　　【００３９】
　封止手段２２により封止する場合、ケース蓋体１９側の８個のピン保持部４０に、予め封止ピン４３を挿入して仮止めしておく。この時、各封止ピン４３の先端側をピン保持部４０に挿入すれば、一対の脚部５２が内側に弾性変形するため、この脚部５２の係合部が係合段部５０を容易に通過できる。また封止用係合部５３がピン保持部４０に対してピン嵌合部３９側から係合し、環状部５４がピン保持部４０の外周に遊嵌して連結部５５がピン保持部４０の端面に当接する。このため封止ピン４３をピン保持部４０に容易且つ確実に仮止めでき、封止ピン４３の不測の脱落、紛失等を防止できる。
　　　【００４０】
　この状態でケース蓋体１９を中間ケース体１８の開口側にセットする。この時、各封止ピン４３の先端側がピン保持部４０から突出しているが、その先端がピン嵌合部３９側に嵌合するので、ケース蓋体１９をセットする時に各封止ピン４３が邪魔になることはない。
　　　【００４１】
　基板ケース６を最初に封止する場合には、「１」の数字に対応する箇所の封止ピン４３をドライバー等でピン嵌合部３９側に押圧する。即ち、封止ピン４３の係合頭部５１側にドライバー等の先端を当て、その状態で封止ピン４３を押圧すると、その押圧力により破断部５６が破壊的に破断して係合頭部５１が環状部５４から分離する。この時、破断部５６が薄肉状になっているので、適当な押圧力を加えることで破断部５６を簡単に破断できる。
　　　【００４２】
　破断部５６が破断した後、係合頭部５１側を更に押圧すると、係合頭部５１がピン保持部４０内に押し込まれて行き、係合頭部５１がピン保持部４０内に完全に埋没した状態でピン保持部４０の係合段部５０に当接し係合する。一方、封止ピン４３の一対の脚部５２が内側に弾性変形して、各脚部５２の係合部がピン嵌合部３９内のピン係止部４２を通過した後、その係合部がピン係止部４２に対して反対側から離脱不能に係合する。
　　　【００４３】
　このようにした「１」の数字に対応する２個の封止ピン４３をピン保持部４０内に押し込むことによって、間隔を隔てた２か所の封止ピン４３で基板ケース６を封止でき、これで封止ピン４３による基板ケース６の封止が完了する。
　　　【００４４】
　なお、破断部５６を破断すると、環状部５４がピン保持部４０側に嵌合状態で残るが、これは適宜除去すれば良い。
　　　【００４５】
　ホール等に弾球遊技機を設置した後に、その制御基板７のＲＯＭ等の検査を行う場合には、「１」の数字に対応する２個の封止状態の封止ピン４３を保持するピン保持部４０側の切断部４１をニッパー等の工具で切断し破壊する。この切断部４１を切断すると、その切断されたピン保持部４０はケース蓋体１９から分離して、封止ピン４３によりピン嵌合部３９側に結合された状態のままで残るので、２個の封止ピン４３による基板ケース６の封止を解除できる。従って、基板ケース６を開けて制御基板７又はＲＯＭ等を取り出して容易に検査できる。
　　　【００４６】
　制御基板７側の検査後に再封止する場合には、「２」の数字に対応する２箇所のピン保持部４０に仮止め状態の封止ピン４３をピン保持部４０側からピン嵌合部３９側へと押し込んで、この２個の封止ピン４３によって基板ケース６を封止する。このため、検査後に基板ケース６を容易に再封止できる。
　　　【００４７】
　なお、検査後は、中間ケース体１８のシール貼付部３７に貼付された検査履歴シールに、その検査履歴を記載する。
　　　【００４８】
　検査による開封、再封止は、１個の基板ケース６について３回まで可能であり、その何れの場合でも、封止側の切断部４１を切断し、その隣側に仮止め状態にある封止ピン４３を押し込んで再封止すれば良い。
　　　【００４９】
　この実施形態では、封止状態の封止ピン４３の係合頭部５１がピン保持部４０内に完全に没入し、また先端側の係合部が有底状のピン嵌合部３９内でピン係止部４２に弾性的に係合しているので、一旦封止ピン４３で封止した後は、この封止ピン４３を外部から外して封止状態を解除することは非常に困難であり、切断部４１を工具等で切断して破壊しない限り、基板ケース６の封止を解除することはできない。
　　　【００５０】
　また仮に切断部４１を破壊して基板ケース６を開封した場合に、ケース蓋体１９側に切断部４１の破壊跡が残ると共に、ケース本体１７の支持体側に封止ピン４３によりピン保持部４０が固定状態で残るため、基板ケース６側に必ず開封の痕跡ができ、その隠蔽も極めて困難である。そのため、基板ケース６を開封して制御基板７側のＲＯＭを不正に交換する等の不正改造が行い難くなり、不正改造を未然に防止できる。
　　　【００５１】
　特に開封の痕跡が基板ケース６側に残り、その痕跡の完全な隠蔽が極めて困難であるため、不正改造者への心理的抑制の効果を期待でき、不正改造の横行を未然に防止できる。しかも、基板ケース６側の痕跡と検査履歴シール側の検査履歴とを照合することによって不正改造済か否かの識別も容易にできる。
　　　【００５２】
　またピン嵌合部３９に対応する部分で封止台２５側の裏板４５にドリル等で不正に孔等を穿孔してピン嵌合部３９の底側に開口を形成し、その開口側から封止ピン４３を操作して基板ケース６の封止を解除した後、裏板４５の開口に樹脂、接着剤等を注入して塞ぐ等の不正を働いた場合にも、裏板４５側の状態を見れば不正の事実を容易に発見できる。即ち、裏板４５の開口に樹脂、接着剤等を注入して塞いだとしても、裏板４５側に不規則な模様により構成される痕跡確認手段４９があるので、必ず裏板４５側に穿孔痕跡が残ることになり、その痕跡により不正の事実を容易に発見できる。
　　　【００５３】
　更にピン保持部４０がケース蓋体１９から切断部４１を介して突出しているため、開封に際して切断部４１をニッパー等により容易に切断でき、特にピン保持部４０側にのみ切断部４１があるので、ピン嵌合部３９とピン保持部４０との両方に切断部４１がある場合に比較して、開封時の切断が容易であり簡単に開封できる。
　　　【００５４】
　またピン嵌合部３９、ピン保持部４０が外側方に突出しているため、検査後に再封止する場合にも障害となることがなく、仮止め状態の封止ピン４３をドライバー等によって容易に押圧でき、基板ケース６を容易に再封止できる。
　　　【００５５】
　しかも、封止手段２２が外側に突出しているため、この封止手段２２によって基板ケース６内の制御基板７が制約を受けることがなく、制御基板７の有効面積を十分に確保できる。
　　　【００５６】
　ケース本体１７の外側方に封止台２５があり、この封止台２５に各ピン嵌合部３９を形成しているので、各ピン嵌合部３９を独立させて設ける場合に比較して、ピン嵌合部３９側の強度を強くできる。しかも、ケース蓋体１９側のピン保持部４０は封止台２５に当接し、その各ピン保持部４０に仮止め状態の封止ピン４３の先端が封止台２５のピン嵌合部３９に嵌合しているので、各ピン保持部４０を切断部４１を介してケース蓋体１９に設けているにも拘わらず、ピン保持部４０の状態が安定し、また封止ピン４３をピン嵌合部３９側に押圧する際に切断部４１が変形又は損傷する等の問題もない。
　　　【００５７】
　基板ケース６のケース本体１７、中間ケース体１８、ケース蓋体１９を透明な合成樹脂により構成しており、制御基板７の表裏両側を外部から透視可能にしているため、制御基板７の表裏何れに不正改造があっても容易に発見できる。しかも、基板固定部２３，２６をケース本体１７及び中間ケース体１８に一体に設け、この基板固定部２３，２６で制御基板７を固定する構造であるため、金属製のネジ等を使用する場合に比較して、制御基板７の略全面を外部から透視することが可能であり、制御基板７の固定部分の近傍側での不正改造も容易に発見できる。
　　　【００５８】
　ケース蓋体１９には放熱孔３８があるが、その放熱孔３８は工具等を挿入し難い小孔になっているので、この放熱孔３８から工具等を挿入して制御基板７を不正に改造することが困難である。また放熱孔３８を小孔にしているが、基板ケース６の放熱性は、その放熱孔３８の数を増やすことによって十分に確保できるので、別段問題はない。
　　　【００５９】
　外部リード線３３のコネクタ３４を接続する場合には、そのコネクタ３４を中間ケース体１８の開口部３２から突出する制御基板７側のコネクタ１６に挿入する。この場合、中間ケース体１８に開口部３２があるが、この開口部３２は、プリントパターン１４が露出しないように口縁がコネクタ１６に近接しているため、開口部３２の口縁とコネクタ１６との間から工具等を挿入してプリントパターン１４に不正改造を施すことも非常に困難である。特に開口部３２は、中間ケース体１８の段部２８にあり、その段部２８が制御基板７に接触又は近接した状態にあるため、中間ケース体１８の段部２８側を変形させて、その隙間から工具等を挿入することも殆ど不可能である。
　　　【００６０】
　以上、本発明の実施形態について説明したが、本発明はこれに限定されるものではない。
　　　【００６１】
　例えば、実施形態では、基板ケース６をケース本体１７と中間ケース体１８とケース蓋体１９とのケース体に三分割し、外側の一方のケース本体１７に封止台２５及びピン嵌合部３９を、外側の他方のケース蓋体１９側にピン保持部４０を夫々設けているが、ケース蓋体１９側に封止台２５及びピン嵌合部３９を、ケース本体１７側にピン保持部４０を夫々設けても良い。
　　　【００６２】
　中間ケース体１８とケース蓋体１９とを一体化し、基板ケース６をケース本体１７側とケース蓋体１９側との二分割構造にした場合にも同様である。
　　　【００６３】
　ケース本体１７と中間ケース体１８との基板固定部２３，２６は、単に制御基板７を表裏両側から挟持するだけでなく、その一方に、制御基板７側の孔に嵌合する突起等を設け、他方で制御基板７を押さえて固定する等、実施形態に例示の構造以外の構造で制御基板７を固定するようにしても良い。
　　　【００６４】
　基板ケース６のケース本体１７、中間ケース体１８及びケース蓋体１９は、実施形態の形状、構造に限定されるものではない。
　　　【００６５】
　例えばケース本体１７内に制御基板７を嵌め込んでだ状態で固定するようにしても良い。
　　　【００６６】
　ピン嵌合部３９は個々に独立させて設けても良いし、またピン保持部４０は隣り合う一対を互いに切断部４１で連結しても良い。
　　　【００６７】
　更にピン嵌合部３９、ピン保持部４０等は、実施形態に例示するように基板ケース６の長手方向の一端側に、その端縁に沿って複数個設ける他、異なる二辺又は三辺に分けて配置することも可能である。勿論、ピン嵌合部３９、ピン保持部４０、封止ピン４３等は一組のみとしても良い。
　　　【００６８】
　封止ピン４３は、実施形態に例示する形状以外のものでも良い。例えば、環状部５４は実施形態の端面に当接するようにしても良い。また封止ピン４３は、その係合頭部５１の外周がピン保持部４０の端縁に係合した状態で仮止めし、係合頭部５１側を押圧した時に外周側が破壊的に変形してピン保持部４０内に埋没するようにしても良い。
　　　【００６９】
　痕跡確認手段４９は、異なる２色以上の合成樹脂材料の混練による流動模様等の不規則な模様により構成する他、特殊な着色材料で着色した合成樹脂材料、その他のものを用いて構成しても良い。但し、その場合にも、着色透明な材料を使用することが望ましい。
　更に封止手段２２は、従来の封止シール等で封止するようにしても良い。
　放熱孔３８は中間ケース体１８の側面等に設けても良い。
　　　【００７０】
　　【発明の効果】
　本発明によれば、開閉自在に結合された複数個のケース体１７，１８，１９を備え、遊技動作を制御するＲＯＭ等の電気部品１５、コネクタ１６及びプリントパターン１４を備えた制御基板７を、これらケース体１７，１８，１９により外側から覆うように収納した弾球遊技機用の基板ケースにおいて、各ケース体１７，１８，１９は制御基板７を外部から透視可能な
透明な合成樹脂製とし
構成し、一端側の係合手段２０，２１と、他端側の封止手段２２とにより各ケース体１７，１８，１９を着脱、開閉自在に結合し、この係合手段２０，２１及び封止手段２２を透明な合成樹脂製とし
　　　【００７１】
　また各ケース体１７，１８，１９を透明な合成樹脂製とし、制御基板７の両側の各ケース体１７，１８に透明な合成樹脂製の基板固定部２３，２６を設け、この基板固定部２３，２６により制御基板７を固定しているので、基板ケース６内での制御基板７の固定が容易であると共に、制御基板７の固定部２３，２６分での不正改造等の発見を容易にできる。
　　　【００７２】
　更に複数個のケース体１７，１８，１９の内、少なくとも１個のケース体１９に放熱孔３８を設け、この放熱孔３８を、不正改造用の工具等が挿入できないように小孔状に形成しているので、放熱孔３８から工具等を挿入することによる制御基板７側の不正改造等を未然に防止できる。
　　　【００７３】
　またケース体１７，１８，１９の一端側に透明な合成樹脂製の係合手段２０，２１を、他端側に透明な合成樹脂製の封止手段２２を設け、この係合手段２０，２１と封止手段２２とにより各ケース体１７，１８，１９を結合したときに、基板固定部２３，２６により制御基板７を挟持して固定するようにしているので、基板ケース６の開閉及び封止、並びに制御基板７の固定を容易にできる上に、係合手段２０，２１及び封止手段２２によって制御基板７の透視が困難になることもない。
　　　【００７４】
　しかも、外側の一方のケース体１７に、内部にピン係止部４２が形成された有底状のピン嵌合部３９を、外側の他方のケース体１９に、ピン嵌合部３９に対応するピン保持部４０を夫々設け、一方のケース体１７とピン嵌合部３９との間、他方のケース体１９とピン保持部４０との間の少なくとも一方に切断部４１を介在し、ピン嵌合部３９側に破壊的に押し込んだ時にピン保持部４０内に離脱不能に嵌合し且つピン嵌合部３９内でピン係止部４２に離脱不能に係合する封止ピン４３をピン保持部４０に設けているので、基板ケース６を簡単な構造で容易に封止できると共に、切断部４１を切断しない限り基板ケース６を開封できず、検査等で基板ケース６を開封した時には、基板ケース６側に残る痕跡により開封の事実を容易に確認でき、基板ケース６の開封による不正改造を未然に防止できる。
【図面の簡単な説明】
　　【図１】
　本発明の一実施形態を示す弾球遊技機の裏側の斜視図である。
　　【図２】
　本発明の一実施形態を示す基板ケースの背面図である。
　　【図３】
　本発明の一実施形態を示す基板ケースの分解斜視図である。
　　【図４】
　本発明の一実施形態を示す基板ケースの分解側面図である。
　　【図５】
　本発明の一実施形態を示す基板ケースの一部破断断面図である。
　　【図６】
　本発明の一実施形態を示す基板ケースの一部破断背面図である。
　　【図７】
　本発明の一実施形態を示す封止部分の一部破断側面図である。
　　【図８】
　本発明の一実施形態を示す封止部分の背面図である。
　　【図９】
　本発明の一実施形態を示す封止部分の拡大断面図である。
　　【図１０】
　図２のＡ−Ａ線拡大断面図である。
　　【図１１】
　本発明の一実施形態を示す裏板の斜視図である。
　　【図１２】
　図２のＢ−Ｂ線拡大断面図である。
　　【図１３】
　図２のＣ−Ｃ線拡大断面図である。
　　【符合の説明】
　６　基板ケース
　７　制御基板
　１４　プリントパターン
　１５　電気部品
　１６　コネクタ
　１７　ケース本体（ケース体）
　１８　中間ケース体（ケース体）
　１９　ケース蓋体（ケース体）
　２０係合手段
　２２封止手段
　２３，２６　基板固定部
　３２　開口部
　３８　放熱孔
　３９　ピン嵌合部
　４０　ピン保持部
　４２　ピン係止部